(57)【要約】【課題】ユーザの属性情報がなくても、特定の時間帯に特定の場所にいるユーザの携帯端末に、その時間帯と場所とに応じたコンテンツを配信する。【解決手段】コンテンツ掲示装置３０の表示部３２に、表示中の掲示コンテンツに対応付けられた携帯端末向コンテンツのＵＲＬとパスワードとから生成される２次元バーコード画像３２１を表示する。パスワードは、パスワード生成部２２によりコンテンツ掲示装置ＩＤと掲示時間帯情報とに対応付けて生成されたものである。携帯電話機４０は、カメラ４２により２次元バーコード画像３２１を撮像し、そのバーコード画像３２１から再生したＵＲＬとパスワードとをコンテンツ配信装置１０へ送信する。コンテンツ配信装置１０は、コンテンツ配信管理装置２０により、ＵＲＬとパスワードとの関係を認証し、配信可と認証されたとき、携帯端末向コンテンツを携帯電話機４０へ配信する。【選択図】図１
2008090512.tif 000002
【特許請求の範囲】
【請求項１】
第１の表示装置を備え、掲示コンテンツをその第１の表示装置に表示するコンテンツ掲示装置と、
第２の表示装置と前記第１の表示装置に表示される画像を撮像する撮像装置とを備え、携帯端末向コンテンツを前記第２の表示装置に表示する携帯端末と、
前記掲示コンテンツおよび前記携帯端末向コンテンツを蓄積したコンテンツ蓄積手段を備え、その蓄積した前記掲示コンテンツおよび前記携帯端末向コンテンツを、それぞれ、前記コンテンツ掲示装置および前記携帯端末へ配信するコンテンツ配信装置と、
コンテンツ配信管理情報を蓄積するコンテンツ配信管理情報蓄積手段を備え、そのコンテンツ配信管理情報により前記コンテンツ配信装置が配信する前記掲示コンテンツおよび前記携帯端末向コンテンツを管理するコンテンツ配信管理装置と、
を含んで構成された情報配信システムにおいて、
前記コンテンツ配信管理装置は、
前記コンテンツ掲示装置を識別するコンテンツ掲示装置識別情報と、そのコンテンツ掲示装置に表示される掲示コンテンツを識別する掲示コンテンツ識別情報と、その掲示コンテンツが表示される時間帯を指定する掲示時間帯情報と、前記携帯端末向コンテンツを識別する携帯端末向コンテンツ識別情報と、を含んだ情報をコンテンツ配信管理情報として、前記コンテンツ配信管理情報蓄積手段に蓄積しておき、
前記コンテンツ配信管理情報蓄積手段から前記コンテンツ配信管理情報を読み出し、そのコンテンツ配信管理情報に含まれる前記掲示装置識別情報と前記掲示時間帯情報とに対応付けられた認証用文字列情報を生成し、
前記生成した認証用文字列情報を前記コンテンツ配信管理情報に付加した情報を新たなコンテンツ配信管理情報とし、その新たなコンテンツ配信管理情報により前記コンテンツ配信管理情報蓄積手段に蓄積されているコンテンツ配信管理情報を更新し、
前記更新したコンテンツ配信管理情報を前記コンテンツ配信装置に送信し、
前記コンテンツ配信装置は、
前記コンテンツ配信管理装置から送信されたコンテンツ配信管理情報を受信し、
前記受信したコンテンツ配信管理情報に含まれる前記携帯端末向コンテンツ識別情報と前記認証用文字列情報とによりバーコード画像を生成し、
前記コンテンツ配信管理装置に含まれる掲示コンテンツ識別情報によって指定される掲示コンテンツと前記生成したバーコード画像とを、前記コンテンツ配信管理情報に含まれるコンテンツ掲示装置識別情報によって指定されるコンテンツ掲示装置へ送信し、
前記コンテンツ掲示装置は、
前記コンテンツ配信管理装置から送信された掲示コンテンツとバーコード画像とを受信し、その受信した掲示コンテンツと前記バーコード画像とを併せて前記第１の表示装置に表示し、
前記携帯端末は、
前記撮像装置により前記第１の表示装置に表示されたバーコード画像が撮像されると、
その撮像されたバーコード画像から前記携帯端末向コンテンツ識別情報と前記認証用文字列情報とを再生し、
前記コンテンツ配信装置は、
前記携帯端末から前記携帯端末向コンテンツ識別情報と前記認証用文字列情報が送信されると、これを受信し、
前記受信した前記携帯端末向コンテンツ識別情報および前記認証用文字列情報を含んだアクセス認証要求情報を前記コンテンツ配信管理装置に送信し、
前記コンテンツ配信管理装置は、
前記コンテンツ配信装置から送信されたアクセス認証要求情報を受信し、
その受信したアクセス認証要求情報に含まれる前記携帯端末向コンテンツ識別情報および前記認証用文字列情報に基づき前記コンテンツ配信管理情報蓄積手段を参照して、前記認証用文字列情報が前記携帯端末向コンテンツ識別情報に対応付けられた正当な認証用文字列情報であるか否かを認証し、
その認証した結果の認証結果情報を前記コンテンツ配信装置へ送信し、
前記コンテンツ配信装置は、
前記コンテンツ配信管理装置から送信された認証結果情報を受信し、その受信した認証結果情報に基づき、前記携帯端末向コンテンツの前記携帯端末への配信の可否を判定し、その判定の結果が配信可であったときに、前記携帯端末向コンテンツを前記携帯端末へ配信するようにしたこと
を特徴とする情報配信システム。
【請求項２】
任意のコンテンツに併せて、コンテンツを識別するコンテンツ識別情報と前記コンテンツのアクセスの際に必要となる認証用文字列情報とを含んだバーコードの画像を表示するコンテンツ掲示装置と、
前記コンテンツ掲示装置に表示されたバーコードの画像を取り込み、そのバーコードの画像により前記コンテンツ識別情報と前記認証用文字列情報とを再生した携帯端末から送信された前記再生されたコンテンツ識別情報と認証用文字列情報とを受信し、前記受信した認証用文字列情報を用いて前記コンテンツ識別情報により指定されるコンテンツの前記携帯端末への配信の可否を判定し、その判定の結果、配信可と判定したときには、前記コンテンツ識別情報により指定されるコンテンツを所定のコンテンツ蓄積手段から読み出し、前記読み出したコンテンツを前記携帯端末に送信するコンテンツ配信装置と、
を備えたことを特徴とする情報配信システム。
【請求項３】
第１の表示装置を備え、掲示コンテンツをその第１の表示装置に表示するコンテンツ掲示装置と、
第２の表示装置と前記第１の表示装置に表示される画像を撮像する撮像装置とを備え、携帯端末向コンテンツを前記第２の表示装置に表示する携帯端末と、
前記掲示コンテンツおよび前記携帯端末向コンテンツを蓄積したコンテンツ蓄積手段を備え、その蓄積した前記掲示コンテンツおよび前記携帯端末向コンテンツを、それぞれ、前記コンテンツ掲示装置および前記携帯端末へ配信するコンテンツ配信装置と、
コンテンツ配信管理情報を蓄積するコンテンツ配信管理情報蓄積手段を備え、そのコンテンツ配信管理情報により前記コンテンツ配信装置が配信する前記掲示コンテンツおよび前記携帯端末向コンテンツを管理するコンテンツ配信管理装置と、
を含んで構成された情報配信システムにおける情報配信方法であって、
前記コンテンツ配信管理装置は、
前記コンテンツ掲示装置を識別するコンテンツ掲示装置識別情報と、そのコンテンツ掲示装置に表示される掲示コンテンツを識別する掲示コンテンツ識別情報と、その掲示コンテンツが表示される時間帯を指定する掲示時間帯情報と、前記携帯端末向コンテンツを識別する携帯端末向コンテンツ識別情報と、を含んだ情報をコンテンツ配信管理情報として、前記コンテンツ配信管理情報蓄積手段に蓄積しておき、
前記コンテンツ配信管理情報蓄積手段から前記コンテンツ配信管理情報を読み出し、そのコンテンツ配信管理情報に含まれる前記掲示装置識別情報と前記掲示時間帯情報とに対応付けられた認証用文字列情報を生成し、
前記生成した認証用文字列情報を前記コンテンツ配信管理情報に付加した情報を新たなコンテンツ配信管理情報とし、その新たなコンテンツ配信管理情報により前記コンテンツ配信管理情報蓄積手段に蓄積されているコンテンツ配信管理情報を更新し、
前記更新したコンテンツ配信管理情報を前記コンテンツ配信装置に送信し、
前記コンテンツ配信装置は、
前記コンテンツ配信管理装置から送信されたコンテンツ配信管理情報を受信し、
前記受信したコンテンツ配信管理情報に含まれる前記携帯端末向コンテンツ識別情報と前記認証用文字列情報とによりバーコード画像を生成し、
前記コンテンツ配信管理装置に含まれる掲示コンテンツ識別情報によって指定される掲示コンテンツと前記生成したバーコード画像とを、前記コンテンツ配信管理情報に含まれるコンテンツ掲示装置識別情報によって指定されるコンテンツ掲示装置へ送信し、
前記コンテンツ掲示装置は、
前記コンテンツ配信管理装置から送信された掲示コンテンツとバーコード画像とを受信し、その受信した掲示コンテンツと前記バーコード画像とを併せて前記第１の表示装置に表示し、
前記携帯端末は、
前記撮像装置により前記第１の表示装置に表示されたバーコード画像が撮像されると、
その撮像されたバーコード画像から前記携帯端末向コンテンツ識別情報と前記認証用文字列情報とを再生し、
前記コンテンツ配信装置は、
前記携帯端末から前記携帯端末向コンテンツ識別情報と前記認証用文字列情報が送信されると、これを受信し、
前記受信した前記携帯端末向コンテンツ識別情報および前記認証用文字列情報を含んだアクセス認証要求情報を前記コンテンツ配信管理装置に送信し、
前記コンテンツ配信管理装置は、
前記コンテンツ配信装置から送信されたアクセス認証要求情報を受信し、
その受信したアクセス認証要求情報に含まれる前記携帯端末向コンテンツ識別情報および前記認証用文字列情報に基づき前記コンテンツ配信管理情報蓄積手段を参照して、前記認証用文字列情報が前記携帯端末向コンテンツ識別情報に対応付けられた正当な認証用文字列情報であるか否かを認証し、
その認証した結果の認証結果情報を前記コンテンツ配信装置へ送信し、
前記コンテンツ配信装置は、
前記コンテンツ配信管理装置から送信された認証結果情報を受信し、その受信した認証結果情報に基づき、前記携帯端末向コンテンツの前記携帯端末への配信の可否を判定し、その判定の結果が配信可であったときに、前記携帯端末向コンテンツを前記携帯端末へ配信するようにしたこと
を特徴とする情報配信方法。
【請求項４】
第１の表示装置を備え、掲示コンテンツをその第１の表示装置に表示するコンテンツ掲示装置と、
第２の表示装置と前記第１の表示装置に表示される画像を撮像する撮像装置とを備え、携帯端末向コンテンツを前記第２の表示装置に表示する携帯端末と、
前記掲示コンテンツおよび前記携帯端末向コンテンツを蓄積したコンテンツ蓄積手段を備え、その蓄積した前記掲示コンテンツおよび前記携帯端末向コンテンツを、それぞれ、前記コンテンツ掲示装置および前記携帯端末へ配信するコンテンツ配信装置と、
コンテンツ配信管理情報を蓄積するコンテンツ配信管理情報蓄積手段を備え、そのコンテンツ配信管理情報により前記コンテンツ配信装置が配信する前記掲示コンテンツおよび前記携帯端末向コンテンツを管理するコンテンツ配信管理装置と、
を含んで構成された情報配信システムで用いられるコンテンツ配信管理装置であって、
前記コンテンツ掲示装置を識別するコンテンツ掲示装置識別情報と、そのコンテンツ掲示装置に表示される掲示コンテンツを識別する掲示コンテンツ識別情報と、その掲示コンテンツが表示される時間帯を指定する掲示時間帯情報と、前記携帯端末向コンテンツを識別する携帯端末向コンテンツ識別情報と、を含んだ情報をコンテンツ配信管理情報として、前記コンテンツ配信管理情報蓄積手段に蓄積し、
その後、前記コンテンツ配信管理情報蓄積手段から前記コンテンツ配信管理情報を読み出し、そのコンテンツ配信管理情報に含まれる前記掲示装置識別情報と前記掲示時間帯情報とに対応付けられた認証用文字列情報を生成し、
前記生成した認証用文字列情報を前記コンテンツ配信管理情報に付加した情報を新たなコンテンツ配信情報とし、その新たなコンテンツ配信管理情報により前記コンテンツ配信管理情報蓄積手段に蓄積されているコンテンツ配信管理情報を更新し、
前記更新したコンテンツ配信管理情報を前記コンテンツ配信装置に送信し、
前記送信されたコンテンツ配信管理情報を受信した前記コンテンツ配信装置が、そのコンテンツ配信管理情報に含まれる前記携帯端末向コンテンツ識別情報と前記認証用文字列情報とによりバーコード画像を生成し、前記コンテンツ配信管理装置に含まれる掲示コンテンツ識別情報によって指定される掲示コンテンツと前記生成されたバーコード画像とを、前記コンテンツ配信管理情報に含まれるコンテンツ掲示装置識別情報によって指定されるコンテンツ掲示装置へ送信し、前記送信された掲示コンテンツとバーコード画像とを受信した前記コンテンツ掲示装置が、その掲示コンテンツとバーコード画像とを前記第１の表示装置に表示し、その表示されたバーコード画像を前記撮像装置により撮像した前記携帯端末が、前記バーコード画像から携帯端末向コンテンツ識別情報と認証用文字列情報とを再生し、その再生した携帯端末向コンテンツ識別情報と認証用文字列情報とを前記コンテンツ配信装置に送信し、その送信された携帯端末向コンテンツ識別情報と認証用文字列情報とを受信した前記コンテンツ配信装置が、その送信された携帯端末向コンテンツ識別情報と認証用文字列情報とを受信し、その受信した携帯端末向コンテンツ識別情報と認証用文字列情報とを含んだアクセス認証要求情報を前記コンテンツ配信管理装置へ送信したときには、
その送信されたアクセス認証要求情報を受信し、
その受信したアクセス認証要求情報に含まれる前記携帯端末向コンテンツ識別情報および前記認証用文字列情報に基づき前記コンテンツ配信管理情報蓄積手段を参照して、前記認証用文字列情報が前記携帯端末向コンテンツ識別情報に対応付けられた正当な認証用文字列情報であるか否かを認証し、
前記認証した結果の認証結果情報を前記コンテンツ配信装置へ送信すること
を特徴とするコンテンツ配信管理装置。
【請求項５】
前記認証用文字列情報を前記掲示時間帯情報で指定される時間より短い周期で変化させること
を特徴とする請求項４に記載のコンテンツ配信管理装置。
【請求項６】
前記コンテンツ掲示装置が備えた周辺の状況を検知するセンサによって取得される情報に応じて、前記コンテンツ配信管理情報に含まれる携帯端末向コンテンツ識別情報を変更すること
を特徴とする請求項４または請求項５に記載のコンテンツ配信管理装置。
【請求項７】
第１の表示装置を備え、掲示コンテンツをその第１の表示装置に表示するコンテンツ掲示装置と、
第２の表示装置と前記第１の表示装置に表示される画像を撮像する撮像装置とを備え、携帯端末向コンテンツを前記第２の表示装置に表示する携帯端末と、
前記掲示コンテンツおよび前記携帯端末向コンテンツを蓄積したコンテンツ蓄積手段を備え、その蓄積した前記掲示コンテンツおよび前記携帯端末向コンテンツを、それぞれ、前記コンテンツ掲示装置および前記携帯端末へ配信するコンテンツ配信装置と、
コンテンツ配信管理情報を蓄積するコンテンツ配信管理情報蓄積手段を備え、そのコンテンツ配信管理情報により前記コンテンツ配信装置が配信する前記掲示コンテンツおよび前記携帯端末向コンテンツを管理するコンテンツ配信管理装置と、
を含んで構成された情報配信システムで用いられるコンピュータにおけるコンテンツ配信管理方法であって、
前記コンピュータは、
前記コンテンツ掲示装置を識別するコンテンツ掲示装置識別情報と、そのコンテンツ掲示装置に表示される掲示コンテンツを識別する掲示コンテンツ識別情報と、その掲示コンテンツが表示される時間帯を指定する掲示時間帯情報と、前記携帯端末向コンテンツを識別する携帯端末向コンテンツ識別情報と、を含んだ情報をコンテンツ配信管理情報として、前記コンテンツ配信管理情報蓄積手段に蓄積し、
その後、前記コンテンツ配信管理情報蓄積手段から前記コンテンツ配信管理情報を読み出し、そのコンテンツ配信管理情報に含まれる前記掲示装置識別情報と前記掲示時間帯情報とに対応付けられた認証用文字列情報を生成し、
前記生成した認証用文字列情報を前記コンテンツ配信管理情報に付加した情報を新たなコンテンツ配信情報とし、その新たなコンテンツ配信管理情報により前記コンテンツ配信管理情報蓄積手段に蓄積されているコンテンツ配信管理情報を更新し、
前記更新したコンテンツ配信管理情報を前記コンテンツ配信装置に送信し、
前記送信されたコンテンツ配信管理情報を受信した前記コンテンツ配信装置が、そのコンテンツ配信管理情報に含まれる前記携帯端末向コンテンツ識別情報と前記認証用文字列情報とによりバーコード画像を生成し、前記コンテンツ配信管理装置に含まれる掲示コンテンツ識別情報によって指定される掲示コンテンツと前記生成されたバーコード画像とを、前記コンテンツ配信管理情報に含まれるコンテンツ掲示装置識別情報によって指定されるコンテンツ掲示装置へ送信し、前記送信された掲示コンテンツとバーコード画像とを受信した前記コンテンツ掲示装置が、その掲示コンテンツとバーコード画像とを前記第１の表示装置に表示し、その表示されたバーコード画像を前記撮像装置により撮像した前記携帯端末が、前記バーコード画像から携帯端末向コンテンツ識別情報と認証用文字列情報とを再生し、その再生した携帯端末向コンテンツ識別情報と認証用文字列情報とを前記コンテンツ配信装置に送信し、その送信された携帯端末向コンテンツ識別情報と認証用文字列情報とを受信した前記コンテンツ配信装置が、その送信された携帯端末向コンテンツ識別情報と認証用文字列情報とを受信し、その受信した携帯端末向コンテンツ識別情報と認証用文字列情報とを含んだアクセス認証要求情報を前記コンテンツ配信管理装置へ送信したときには、
その送信されたアクセス認証要求情報を受信し、
その受信したアクセス認証要求情報に含まれる前記携帯端末向コンテンツ識別情報および前記認証用文字列情報に基づき前記コンテンツ配信管理情報蓄積手段を参照して、前記認証用文字列情報が前記携帯端末向コンテンツ識別情報に対応付けられた正当な認証用文字列情報であるか否かを認証し、
前記認証した結果の認証結果情報を前記コンテンツ配信装置へ送信すること
を特徴とするコンテンツ配信管理方法。
【請求項８】
前記コンピュータは、
前記認証用文字列情報を前記掲示時間帯情報で指定される時間より短い周期で変化させること
を特徴とする請求項７に記載のコンテンツ配信管理方法。
【請求項９】
前記コンピュータは、
前記コンテンツ掲示装置が備えた周辺の状況を検知するセンサによって取得される情報に応じて、前記コンテンツ配信管理情報に含まれる携帯端末向コンテンツ識別情報を変更すること
を特徴とする請求項７または請求項８に記載のコンテンツ配信管理方法。
【請求項１０】
請求項７ないし請求項９のいずれか１項に記載のコンテンツ配信方法をコンピュータに実行させるためのプログラム。
【発明の詳細な説明】
【技術分野】
【０００１】
本発明は、特定のコンテンツ掲示装置の特定の時間帯に掲示されたコンテンツを閲覧したユーザの携帯端末へ、その掲示コンテンツに対応付けられた携帯端末向コンテンツを配信するための情報配信技術に関する。
【背景技術】
【０００２】
近年、雑誌などの広告の一部にその広告スポンサのホームページのＵＲＬを表した２次元バーコードを印刷しておき、その広告の内容に興味を抱いた読者を広告スポンサのホームページに誘う技術が広く普及している。すなわち、広告の閲覧者がその２次元バーコードをカメラ付き携帯電話機で撮像すると、携帯電話機は、２次元バーコードから広告スポンサのＵＲＬを抽出し、そのＵＲＬ（Universal Resource Locator）が示すホームページにアクセスする。このような技術によって、広告の閲覧者は、興味を抱いた事項に関するホームページに簡単にアクセスできるようになった。
【０００３】
また、特許文献１には、特定の場所にいるユーザの携帯端末に対し、その場所に応じた情報を配信する情報配信システムの例が開示されている。その情報配信システムによれば、携帯端末は、ＧＰＳ（Global Positioning System）などによる位置報知機能を備え、そのシステムの情報配信サーバは、性別、年齢などユーザの属性を登録した上で、そのユーザが所持する携帯端末の位置報知機能を利用することにより、そのユーザの店舗内などにおける行動ログを蓄積する。そして、そのユーザの属性や蓄積された過去の行動ログなどに基づき、ユーザの店舗内などにおける所在位置に応じて、そのユーザに適した情報をそのユーザが所持する携帯端末へ配信するとしている。
【特許文献１】特許第３７２６７４８号公報
【発明の開示】
【発明が解決しようとする課題】
【０００４】
雑誌などの広告の一部に２次元バーコードを印刷してその閲覧者を広告スポンサのホームページへ誘う技術の場合には、そのホームページの情報配信サーバは、閲覧者からの位置情報の提供がない限り、特定の場所にいる閲覧者を見分けることができない。従って、情報配信サーバは、特定の場所にいる閲覧者を限定して、その場所に応じた適切な情報を速やかに提供することは困難である。また、この場合、広告媒体が印刷物であるため、広告内容や２次元ＵＲＬを時間帯に応じて変えることができない。従って、情報配信サーバは、時間帯に応じた適切な情報を閲覧者に提供することは困難である。
【０００５】
また、特許文献１に開示された技術の場合には、携帯端末がＧＰＳなどによる位置報知機能を有しているので、その携帯端末に対して、その場所に応じた適切な情報を配信することができる。しかしながら、この場合には、情報配信サーバは、ユーザが所持する携帯端末の位置情報を追跡し、そのユーザが興味を持っている事項に関係する情報を配信するので、ユーザの属性情報を登録することが求められる。
【０００６】
しかしながら、近年、防犯や情報セキュリティ上の問題から、人々は、個人情報を公開したり、提供したりするのを嫌う傾向が出てきている。特許文献１に開示された情報配信システムは、ユーザ登録を必要とするのみならず、ユーザの行動ログまで採るとしているが、これではこれからの社会に受け入れられない恐れがある。
【０００７】
以上のような従来技術の問題点に鑑み、本発明の目的は、ユーザが個人の属性情報を提供しなくても、また、携帯端末が位置報知機能を備えていなくても、特定の時間帯に特定の場所にいるユーザが所持する携帯端末に対し、その場所と時間帯とに応じたコンテンツを配信することが可能な情報配信システム、情報配信方法、コンテンツ配信管理装置、コンテンツ配信管理方法およびプログラムを提供することにある。
【課題を解決するための手段】
【０００８】
そこで、本発明においては、情報配信システムをコンテンツ掲示装置と携帯端末とコンテンツ配信装置とコンテンツ配信管理装置とを含んで構成し、コンテンツ掲示装置には、そのとき掲示中の掲示コンテンツと併せて、その掲示コンテンツに関連する携帯端末向コンテンツの識別情報と、コンテンツ掲示装置の識別情報および掲示コンテンツの掲示時間帯情報に対応付けられた認証用文字列情報と、から生成されるバーコード画像を表示するようにした。また、携帯端末は、撮像装置を備えるものとし、その撮像装置によって、コンテンツ掲示装置に表示されたバーコード画像を撮像し、その撮像したバーコード画像から携帯端末向コンテンツの識別情報と認証用文字列情報とを再生し、その再生した携帯端末向コンテンツの識別情報と認証用文字列情報とをコンテンツ配信装置へ送信する。コンテンツ配信装置は、その携帯端末向コンテンツの識別情報と認証用文字列情報とをさらにコンテンツ配信管理装置へ送信し、コンテンツ配信管理装置に対し、その携帯端末向コンテンツの識別情報のアクセス可否の認証を依頼する。コンテンツ配信管理装置は、コンテンツ掲示装置識別情報、掲示コンテンツ識別情報、掲示時間帯情報、携帯端末向コンテンツ識別情報、認証用文字列情報をコンテンツ配信管理情報として蓄積して管理しているので、そのコンテンツ配信管理情報に基づき、携帯端末から送信された認証用文字列が正しいか否かを認証し、そのアクセス可否の認証結果をコンテンツ配信装置へ送信する。コンテンツ配信装置は、その認証結果に基づき、配信の可否を判定し、その判定結果が配信可であったときに、携帯端末向コンテンツを携帯端末へ配信する。
【０００９】
本発明の情報配信システムにおいては、ユーザが掲示コンテンツを閲覧して、その内容に興味を抱いたとき、掲示コンテンツと併せて表示されるバーコード画像から携帯端末向コンテンツ識別情報を取得して、コンテンツ配信装置に対し、その携帯端末向コンテンツ識別情報によって指定される携帯端末向コンテンツの配信を求める。従って、コンテンツ配信装置は、ユーザの属性情報を登録しなくても、ユーザが欲するコンテンツを配信することができる。また、そのバーコードには、コンテンツ掲示装置の識別情報および掲示コンテンツの掲示時間帯情報に対応した認証用文字列情報が含まれているので、コンテンツ配信管理装置は、ユーザがどのコンテンツ掲示装置の近傍にいて、どの時間帯の掲示コンテンツを閲覧したかを知ることができる。また、その認証用文字列は、基本的には、コンテンツ掲示装置の識別情報および掲示コンテンツの掲示時間帯情報との対応関係を知らせないで生成されるので、ユーザはその認証用文字列を偽造することができない。従って、コンテンツ配信装置は、ユーザが実際に閲覧した場所にあるコンテンツ掲示装置の掲示コンテンツに対応した携帯端末向コンテンツを、ユーザが所持する携帯型個人用端末に配信することができる。
【発明の効果】
【００１０】
本発明によれば、ユーザが個人の属性情報を提供しなくても、また、携帯端末が位置報知機能を備えていなくても、特定の時間帯に特定の場所にいるユーザが所持する携帯端末に、その場所と時間帯とに応じたコンテンツを配信することが可能な情報配信システム、情報配信方法、コンテンツ配信管理装置、コンテンツ配信管理方法およびプログラムを提供することができる。
【発明を実施するための最良の形態】
【００１１】
以下、実施形態について、図面を参照して説明する。
【００１２】
＜全体構成＞
最初に、図１を用いて、情報配信システムの全体構成について説明する。ここで、図１は、情報配信システムのブロック構成の例を示す図である。
【００１３】
図１に示すように、情報配信システム１は、コンテンツ配信装置１０と、コンテンツ配信管理装置２０と、コンテンツ掲示装置３０と、携帯端末としての携帯電話機４０とを含んで構成される。このとき、コンテンツ配信装置１０、コンテンツ配信管理装置２０およびコンテンツ掲示装置３０は、ＬＡＮ（Local Area Network）、ＷＡＮ（Wide Area Network）、インターネット、公衆電話回線網（携帯電話の回線網を含む）などからなる通信ネットワーク６０に接続されている。また、携帯電話機４０は、携帯電話の無線通信基地局５０を介して通信ネットワーク６０に接続されている。
【００１４】
（コンテンツ配信装置１０）
図１において、コンテンツ配信装置１０は、掲示コンテンツ配信部１１、携帯端末向コンテンツ配信部１２、匿名ＩＤ管理部１３、アプリケーション処理部１４などの処理機能ブロックと、掲示コンテンツ蓄積部１５、携帯端末向コンテンツ蓄積部１６、匿名ＩＤ記憶部１７などの記憶機能ブロックと、を含んで構成される。
【００１５】
ここで、掲示コンテンツ蓄積部１５は、通常、複数の掲示コンテンツを蓄積しており、掲示コンテンツ配信部１１は、その掲示コンテンツ蓄積部１５に蓄積された掲示コンテンツから１つまたは複数の掲示コンテンツを取り出し、通信ネットワーク６０を介してコンテンツ掲示装置３０に配信する。なお、掲示コンテンツ配信部１１が掲示コンテンツをコンテンツ掲示装置３０に配信するときには、その掲示コンテンツに対応付けられた携帯端末向コンテンツの識別情報、つまり、携帯端末向コンテンツが所在する通信ネットワーク上のＵＲＬと後記するパスワードとから生成される２次元バーコードの画像情報とを併せて配信する。
【００１６】
携帯端末向コンテンツ蓄積部１６は、通常、複数の携帯端末向コンテンツを蓄積しており、携帯端末向コンテンツ配信部１２は、その携帯端末向コンテンツ蓄積部１６に蓄積された掲示コンテンツから１つまたは複数の携帯端末向コンテンツを取り出し、通信ネットワーク６０および無線通信基地局５０を介して携帯電話機４０に配信する。
【００１７】
なお、掲示コンテンツおよび携帯端末向コンテンツは、いずれも、文字、静止画、動画、音声などによって構成されるコンテンツである。また、コンテンツ掲示装置３０に設けられる表示部３２に付属する出力装置によっては、臭いや振動などを発生させるコンテンツが含まれていてもよい。
【００１８】
匿名ＩＤ管理部１３は、ユーザの個人情報などを含まない匿名ＩＤの登録などを管理し、その匿名ＩＤに係る情報を匿名ＩＤ記憶部１７に記憶する。また、アプリケーション処理部１４は、匿名ＩＤ記憶部１７に記憶された匿名ＩＤを利用して、その匿名ＩＤに応じた、例えば、ポイント付加処理などを実行する。
【００１９】
（コンテンツ配信管理装置２０）
図１において、コンテンツ配信管理装置２０は、コンテンツ配信管理情報管理部２１、パスワード生成部２２、パスワード認証部２３などの処理機能ブロックと、コンテンツ配信管理情報蓄積部２４などの記憶機能ブロックと、を含んで構成される。
【００２０】
ここで、コンテンツ配信管理情報管理部２１は、コンテンツ配信管理情報をコンテンツ配信管理情報蓄積部２４に蓄積して管理する。そのコンテンツ配信管理情報は、別途、図２を示して説明するように、コンテンツ掲示装置３０に掲示する掲示コンテンツに対応付けて携帯電話機４０に配信すべき携帯端末向コンテンツを管理するための情報である。また、そのコンテンツ配信管理情報は、コンテンツ掲示装置３０の識別情報と、そのコンテンツ掲示装置３０に掲示する掲示コンテンツの掲示時間帯情報と、に対応付けられたパスワードを有しており、パスワード生成部２２は、そのパスワードを生成する。また、パスワード認証部２３は、コンテンツ配信装置１０から送信される携帯端末向コンテンツ識別情報とパスワードと含んだアクセス認証要求情報を受信して、そのパスワードがその携帯端末向コンテンツ識別情報によって指定される携帯端末向コンテンツに正当に対応したものであるか否かを認証する。
【００２１】
なお、コンテンツ配信装置１０およびコンテンツ配信管理装置２０は、いずれも、ＣＰＵ（Central Processing Unit）などからなる演算処理装置（図示せず）と、半導体メモリやハードディスク装置などからなる記憶装置（図示せず）とを含んだコンピュータによって構成される。そして、コンテンツ配信装置１０およびコンテンツ配信管理装置２０のそれぞれに含まれる処理機能ブロック１１〜１４，２１〜２３の機能は、演算処理装置が記憶装置に格納されたそれぞれのプログラムを実行することによって実現される。また、コンテンツ配信装置１０およびコンテンツ配信管理装置２０のそれぞれに含まれる記憶機能ブロック１５〜１７，２４は、それぞれの記憶装置上に構成される。
【００２２】
また、本実施形態では、コンテンツ配信装置１０とコンテンツ配信管理装置２０とは、異なる２つのコンピュータによって実現されるとしているが、１つのコンピュータ上に実現されてもよい。さらには、コンテンツ配信装置１０およびコンテンツ配信管理装置２０のそれぞれが、通信ネットワーク６０などを介して接続された複数のコンピュータによって構成されてもよい。
【００２３】
（コンテンツ掲示装置３０）
図１において、コンテンツ掲示装置３０は、制御装置３１、表示部３２、センサ３３などを含んで構成される。
【００２４】
ここで、制御装置３１は、コンテンツ掲示装置３０の全体の大きさにもよるが、マイクロプロセッサ、ＡＳＩＣ（Application Specific Integrated Circuits）などの集積回路チップやパーソナルコンピュータなどによって構成される。制御装置３１は、コンテンツ配信装置１０から配信される２次元バーコード画像３２１を含む掲示コンテンツを表示部３２に表示する。また、制御装置３１は、センサ３３から出力されるセンサ情報を読み取って、そのセンサ情報を、適宜、コンテンツ配信装置１０またはコンテンツ配信管理装置２０へ送信する。
【００２５】
表示部３２は、液晶ディスプレイやプラズマディスプレイなどによって構成され、制御装置３１によって出力される２次元バーコード画像３２１を含む掲示コンテンツを表示する。掲示コンテンツは、通常、文字、静止画、動画、音声などによって構成される。従って、表示部３２には、必要に応じ、スピーカなど音声出力装置が付属するものとする。なお、表示部３２には、さらに、臭い発生器、振動発生器などが付属してもよい。
【００２６】
センサ３３は、コンテンツ掲示装置３０設置場所近傍の気温、湿度、明るさ、騒音、人の集まり具合など周辺状況を検出するセンサであり、例えば、温度センサ、湿度センサ、光度センサ、騒音センサ、加速度センサ、人感センサ、画像認識センサなどのうち少なくとも１つを含む。
【００２７】
なお、情報配信システム１は、通常、複数のコンテンツ掲示装置３０を備えており、それぞれのコンテンツ掲示装置３０にはそれぞれを識別するためのコンテンツ掲示装置ＩＤが付されている。また、１つのコンテンツ掲示装置３０において、制御装置３１が複数の表示部３２および複数のセンサ３３を制御する構成であっても構わない。その場合、本実施形態では、それぞれの表示部３２ごとにそれぞれ異なったコンテンツ掲示装置ＩＤが付されるものとする。
【００２８】
（携帯電話機４０）
図１において、携帯電話機４０は、少なくとも、液晶ディスプレイなどで構成された表示部４１とカメラ４２とを備える。表示部４１は、コンテンツ配信装置１０から配信される携帯端末向コンテンツを表示する。携帯端末向コンテンツは、通常、文字、静止画、動画、音声などによって構成される。従って、必要に応じて、表示部４１は、音声情報を出力するスピーカを含むものとする。また、カメラ４２は、コンテンツ掲示装置３０の表示部３２に表示される２次元バーコード画像３２１を撮像するのに用いられる。
【００２９】
なお、本実施形態においては、カメラ４２付き携帯電話機４０を携帯端末として用いているが、通信機能およびカメラ機能が付いたＰＤＡ（Personal Digital Assistance）や携帯型パソコンを携帯端末として用いてもよい。
【００３０】
＜コンテンツ配信管理情報の構成＞
続いて、コンテンツ配信管理装置２０のコンテンツ配信管理情報蓄積部２４に蓄積するコンテンツ配信管理情報の構成について説明する。ここで、図２は、コンテンツ配信管理情報の構成の例を示す図である。
【００３１】
図２に示すように、コンテンツ配信管理情報のレコードは、コンテンツ掲示装置ＩＤ、掲示コンテンツＩＤ、掲示時間帯情報、携帯端末向コンテンツＩＤ、パスワードの各フィールドを少なくとも含んで構成される。
【００３２】
ここで、コンテンツ掲示装置ＩＤは、コンテンツ掲示装置３０を識別する識別情報であり、掲示コンテンツＩＤは、コンテンツ配信装置１０の掲示コンテンツ蓄積部１５に蓄積されている掲示コンテンツを識別する識別情報である。また、掲示時間帯情報は、掲示コンテンツＩＤによって指定される掲示コンテンツをコンテンツ掲示装置ＩＤによって指定されるコンテンツ掲示装置３０に掲示する時間帯を示した情報であり、開始時刻情報と終了時刻情報とを含む。
【００３３】
携帯端末向コンテンツＩＤは、コンテンツ配信装置１０の携帯端末向コンテンツ蓄積部１６に蓄積されている携帯端末向コンテンツを識別する識別情報である。なお、携帯端末向コンテンツＩＤとしては、携帯端末向コンテンツのインターネット上の所在アドレスであるＵＲＬを利用する。
【００３４】
パスワードは、コンテンツ配信管理情報の同じレコードに含まれるコンテンツ掲示装置ＩＤおよび掲示時間帯情報に対応付けられて生成された文字列情報である。そのパスワードは、携帯電話機４０が携帯端末向コンテンツＩＤによって指定される携帯端末向コンテンツにアクセスするときの認証文字列として用いられる。その文字列は、コンテンツ掲示装置ＩＤおよび掲示時間帯情報の相違を識別可能なものであれば、どのような文字列情報であってもよいが、通常は、パスワードとして利用可能なように、Ｍ系列などの擬似乱数を用いて発生される。
【００３５】
このパスワードは、コンテンツ掲示装置３０の表示部３２に表示された２次元バーコード画像３２１をカメラ４２で撮像することによって、携帯電話機４０に取得される。従って、そのパスワードによって、携帯電話機４０、つまり、その所持者が、そのパスワードに対応するコンテンツ掲示装置ＩＤおよび掲示時間帯情報から得られるコンテンツ掲示装置３０の設置場所にその掲示時間帯にいたことを証明することができる。
【００３６】
なお、本実施形態においては、１つの掲示時間帯情報に対し１つのパスワードを割り当てているが、１つの掲示時間帯情報を複数の時間帯情報に分割し、その分割した時間帯情報のそれぞれに対し、異なるパスワードを割り当てるようにしてもよい。その場合には、掲示時間帯が、例えば１時間であっても、パスワードは、例えば１０分おきに変化することになる。すなわち、この場合には、携帯電話機４０の所持者が当該コンテンツ掲示装置３０の設置場所にいた時間帯の精度を向上させることができる。
【００３７】
また、パスワードとして暗号化したパスワードを利用してもよい。コンテンツ配信管理装置２０で暗号化したパスワードは、次に詳しく説明するように、コンテンツ配信装置１０から掲示コンテンツとともにコンテンツ掲示装置３０に送信され、携帯電話機４０に読み取られ、通信ネットワーク６０およびコンテンツ配信装置１０を経由してコンテンツ配信管理装置２０へ戻ってくる。そこで、コンテンツ配信管理装置２０は、暗号化前のパスワードをコンテンツ配信管理情報蓄積部２４に格納しておけば、戻ってきた暗号化されたパスワードを復号化することにより、パスワードの偽造や改ざんを検出することができる。こうすることによって、通信ネットワーク６０などでの盗聴やなりすましなどを防止することができる。
【００３８】
また、コンテンツ配信管理情報のレコードは、コンテンツ掲示装置３０の設置場所を示すフィールドを備えていてもよい。
【００３９】
＜コンテンツの配信処理フロー＞
続いて、情報配信システム１におけるコンテンツ配信のフローについて説明する。ここで、図３は、コンテンツ配信装置１０がコンテンツ掲示装置３０に掲示コンテンツを配信するときの処理フローの例を示す図、図４は、コンテンツ配信装置１０が携帯電話機４０に携帯端末向コンテンツを配信するときの処理フローの例を示す図である。
【００４０】
図３において、コンテンツ配信管理装置２０は、まず、コンテンツ配信管理情報蓄積部２４にコンテンツ配信管理情報を蓄積する（ステップＳ０１）。コンテンツ配信管理情報は、通常、コンテンツ配信管理装置２０の管理者がコンテンツ配信管理装置２０に付属するキーボード、マウス、表示装置などを用いて入力する情報に基づき生成され、その生成されたコンテンツ配信管理情報がコンテンツ配信管理情報蓄積部２４に蓄積される。
【００４１】
なお、ステップＳ０１の処理では、コンテンツ掲示装置ＩＤ、掲示コンテンツＩＤ、掲示時間帯情報、携帯端末向コンテンツＩＤの各フィールドには、前記入力された情報が設定されるが、パスワードのフィールドは、このときにはパスワードが設定されず、空欄のままである。
【００４２】
次に、コンテンツ配信管理装置２０は、コンテンツ配信管理情報蓄積部２４からコンテンツ配信管理情報を読み出し（ステップＳ０２）、掲示時間帯情報によって示される掲示する開始時刻が近付いてきたコンテンツ配信管理情報について、パスワードを生成する（ステップＳ０３）。パスワードは、前記したように、Ｍ系列の擬似乱数などを用いることによって生成することができる。生成されたパスワードは、コンテンツ配信管理情報のパスワードのフィールドに設定される。
【００４３】
次に、コンテンツ配信管理装置２０は、そのパスワードを含んだコンテンツ配信管理情報をコンテンツ配信管理情報蓄積部２４に蓄積するとともに（ステップＳ０４）、そのコンテンツ配信管理情報をコンテンツ配信装置１０へ送信する（ステップＳ０５）。
【００４４】
次に、コンテンツ配信装置１０は、コンテンツ配信管理装置２０から送信されたコンテンツ配信管理情報を受信し（ステップＳ１１）、そのコンテンツ配信管理情報に含まれる携帯端末向コンテンツＩＤとパスワードとに基づき、２次元バーコード画像を生成する（ステップＳ１２）。次いで、コンテンツ配信装置１０は、そのコンテンツ配信管理情報に含まれるコンテンツ掲示装置ＩＤによって指定されるコンテンツ掲示装置３０に対し、その同じコンテンツ配信管理情報に含まれる掲示コンテンツＩＤによって指定される掲示コンテンツと前記生成した２次元バーコード画像とを配信する（ステップＳ１３）。
【００４５】
なお、ステップＳ１３においては、コンテンツ配信装置１０は、掲示コンテンツと２次元バーコード画像とを別々の情報としてコンテンツ掲示装置３０へ配信してもよく、また、２次元バーコード画像を掲示コンテンツに重畳した上で、その２次元バーコード画像を重畳した掲示コンテンツをコンテンツ掲示装置３０へ配信してもよい。
【００４６】
次に、コンテンツ掲示装置３０は、コンテンツ配信装置１０から配信された掲示コンテンツと２次元バーコード画像とを受信し（ステップＳ２１）、表示部３２にその受信した掲示コンテンツと２次元バーコード画像３２１とを表示する（ステップＳ２２）。
【００４７】
なお、図３に示した処理フローにおいては、コンテンツ配信装置１０は、コンテンツ配信管理情報蓄積部２４に蓄積されたコンテンツ配信情報に基づき、２次元バーコード画像を含む掲示コンテンツを配信し、その掲示時間帯情報で指定される時間帯には同じコンテンツが掲示されるとしているが、コンテンツ掲示装置３０のセンサ３３が出力するセンサ情報に応じて、コンテンツ配信装置１０から配信する掲示コンテンツを、適宜、変えるようにしてもよい。
【００４８】
それを実現するには、コンテンツ配信管理装置２０は、コンテンツ掲示装置３０から所定の時間ごとに送信されるセンサ３３の出力情報を監視しておき、その出力情報が所定の条件を満足したとき（例えば、明るさが所定値以上に明るく、気温が所定値を超えたとき、周囲に多人数がいるときなど）、コンテンツ配信管理情報蓄積部２４に蓄積されているコンテンツ配信管理情報の掲示コンテンツＩＤおよび携帯端末向コンテンツＩＤを変更するようにすればよい。そして、ステップＳ０２以下を実行する。
【００４９】
あるいは、コンテンツ配信装置１０が、コンテンツ掲示装置３０から所定の時間ごとに送信されるセンサ３３の出力情報を監視しておき、その出力情報が所定の条件を満足したとき（例えば、明るさが所定値以上に明るく、気温が所定値を超えたとき、周囲に多人数がいるときなど）、ステップＳ１１で受信しているコンテンツ配信管理情報の掲示コンテンツＩＤおよび携帯端末向コンテンツＩＤを、適宜、変更するようにしてもよい。そして、ステップＳ１２以下を実行する。
【００５０】
以上によって、コンテンツ掲示装置３０の周囲の状況に応じて、コンテンツ掲示装置３０に表示する掲示コンテンツを変えることができるようになり、また、その掲示コンテンツを閲覧したユーザの携帯電話機４０へ配信する携帯端末向コンテンツを変えることができるようになる。
【００５１】
続いて、図４において、携帯電話機４０は、カメラ４２によって、コンテンツ掲示装置３０の表示部３２に表示された２次元バーコード画像３２１を撮像する（ステップＳ３１）。次いで、携帯電話機４０は、その撮像した２次元バーコード画像に対し公知の画像認識処理を施し、２次元バーコード画像が表す元の携帯端末向コンテンツＩＤ（ＵＲＬ）とパスワードとを再生し（ステップＳ３２）、その再生したＵＲＬとパスワードとをコンテンツ配信装置１０へ送信する（ステップＳ３３）。なお、携帯電話機４０は、ステップＳ３３の処理を、携帯電話機４０が一般的に備えているＷＷＷブラウザ機能によって行うことができる。このとき、ＵＲＬは、携帯電話機４０がコンテンツ配信装置１０に対し配信を求める携帯端末向コンテンツの所在アドレスを表す。
【００５２】
次に、コンテンツ配信装置１０は、携帯電話機４０から送信されるＵＲＬとパスワードとを受信し（ステップＳ４１）、そのＵＲＬとパスワードとを含んだアクセス認証要求情報をコンテンツ配信管理装置２０へ送信する（ステップＳ４２）。すなわち、コンテンツ配信装置１０は、受信したＵＲＬによって指定される携帯端末向コンテンツのアクセスの可否についての認証処理を、コンテンツ配信管理装置２０に依頼する。
【００５３】
そこで、コンテンツ配信管理装置２０は、コンテンツ配信装置１０から送信されるアクセス認証要求情報を受信し（ステップＳ５１）、そのアクセス認証要求情報に含まれるＵＲＬとパスワードとに基づき、そのＵＲＬによって指定される携帯端末向コンテンツのアクセスの可否を認証する（ステップＳ５２）。次いで、コンテンツ配信管理装置２０は、そのアクセス認証結果情報をコンテンツ配信装置１０へ送信する（ステップＳ５３）。
【００５４】
なお、ステップＳ５２の処理において、コンテンツ配信管理装置２０は、コンテンツ配信管理情報蓄積部２４の携帯端末向コンテンツＩＤおよびパスワードのフィールドを検索し、そのフィールドの情報がアクセス認証要求情報に含まれるＵＲＬおよびパスワードと同じになるレコードがあるか否かを判定する。その結果、同じレコードが存在し、かつ、そのときの時刻がパスワードの有効期限が切れる以前であったときには、配信可と認証する。また、同じレコードが存在しても、そのときの時刻がパスワードの有効期限が切れた後であったときには、パスワードの有効期限切れと判定する。また、同じレコードが存在しなかったときには、パスワードが不正と判定する。
【００５５】
このとき、パスワードの有効期限は、当該掲示コンテンツの掲示時間帯情報の終了時刻であると定めてもよく、また、終了時刻以降所定の時間（例えば、１０分など）経過した時刻と定めてもよい。
【００５６】
次に、コンテンツ配信装置１０は、コンテンツ配信管理装置２０から送信されるアクセス認証結果情報を受信し（ステップＳ６１）、そのアクセス認証結果情報に基づき配信するか否かを判定し、その判定の結果が配信可であったときには（ステップＳ６２でＹｅｓ）、携帯電話機４０から送信されたＵＲＬで指定された携帯端末向コンテンツを携帯電話機４０へ配信する（ステップＳ６３）。また、アクセス認証結果情報が、パスワードの有効期限切れ、または、パスワードの不正であったときには、配信不可と判定し（ステップＳ６２でＮｏ）、携帯端末向コンテンツの配信を行わないで、一連の処理を終了する。
【００５７】
次に、携帯電話機４０は、コンテンツ配信装置１０から配信される携帯端末向コンテンツを受信し（ステップＳ７１）、その受信した携帯端末向コンテンツを表示部４１に表示する（ステップＳ７２）。なお、携帯電話機４０は、ステップＳ７１およびステップＳ７２の処理を、携帯電話機４０が一般的に備えているＷＷＷブラウザ機能によって行うことができる。
【００５８】
図４に示した処理フローにおいては、ステップＳ６２およびステップＳ６３の処理は、様々な変形が可能である。例えば、配信不可のときには（ステップＳ６２でＮｏ）、コンテンツ配信装置１０は、当初の携帯端末向コンテンツを配信する代わりに、配信不可であること、パスワードの有効期限が切れていたこと、パスワードが不正であったことなどを示すメッセージを、携帯電話機４０に配信するようにしてもよい。
【００５９】
また、配信可のときには（ステップＳ６２でＹｅｓ）、コンテンツ配信装置１０は、適宜、各種のアプリケーションプログラムを実行し、その実行結果に基づき、携帯電話機４０へ配信する携帯端末向コンテンツを変えてもよい。例えば、ステップＳ６３において、ポイント付与プログラムなどを実行した後、付与するポイントに応じて、携帯電話機４０へ配信する携帯端末向コンテンツを変えてもよい。
【００６０】
図５は、図４におけるアクセス認証結果またはアプリケーション実行結果に応じて、コンテンツ配信装置１０から携帯電話機４０に配信する携帯端末向コンテンツの表示画像を変える例を示す図である。
【００６１】
図５（ａ）は、アクセス認証結果において、パスワードが不正とされた場合に配信する表示画像の例である。パスワードが不正ということは、携帯電話機４０から送信されたＵＲＬとパスワードとに一致するアクセス認証要求情報のレコードがコンテンツ配信管理情報蓄積部２４に存在しないことを意味しているので、ここでは、そのＵＲＬとパスワードのもとになった「バーコードが無効である」と表示している。また、図５（ｂ）は、アクセス認証結果において、パスワードの有効期限が切れた場合に配信する表示画像の例である。
【００６２】
また、図５（ｃ）〜図５（ｅ）は、ポイント付与プログラムを実行した結果に応じて携帯電話機４０に配信する携帯端末向コンテンツの表示画像を変える例である。図５（ｃ）は、ポイントが付与されなかったときの表示画像の例、図５（ｄ）は、ポイントが付与されたときの表示画像の例、図５（ｅ）は、懸賞応募権が付与されたときの表示画面の例である。なお、図５（ｅ）において、「応募」ボタンは、このボタンをクリックすると、携帯電話機４０には懸賞応募のための別の表示画像が配信される。
【００６３】
以上、図３および図４に示した情報配信の処理フローに従えば、コンテンツ配信装置１０は、特定の場所に設置されているコンテンツ掲示装置３０の特定の時間帯に掲示されている特定の掲示コンテンツを閲覧したユーザが所持する携帯電話機４０に対し、その特定の掲示コンテンツに対応付けられている携帯端末向コンテンツを配信することができる。このとき、携帯電話機４０の所持者は、自らの属性情報をコンテンツ配信装置１０などに提供する必要はない。
【００６４】
また、このとき用いられる２次元バーコード画像は、パスワードを含んでいるので偽造が困難である。従って、その２次元バーコード画像の取得は、特定の掲示コンテンツを閲覧した証拠として利用することができる。例えば、掲示コンテンツのスポンサは、その掲示コンテンツをその掲示場所に行って、実際に閲覧したということに対し、商品の割引などのためのポイントを付与するなどの特典を与えることができる。
【００６５】
＜携帯端末向コンテンツ配信時の拡張処理の例＞
ユーザにポイントを付与するためには、ユーザを管理するためのユーザＩＤが必須である。一般には、ユーザは、ユーザＩＤを登録するとき、ユーザの個人情報に係る属性情報の提供を求められるが、ここでは、ユーザに一切の属性情報の提供を求めない匿名ＩＤの付与について説明する。図６は、コンテンツ配信装置１０における携帯端末向コンテンツ配信時の匿名ユーザ登録の処理フローの例を示す図である。
【００６６】
なお、図６に示す処理は、コンテンツ配信装置１０が図４のステップＳ６３の処理（携帯端末向コンテンツの配信処理）を実行するときに併せて実行する処理である。また、図４において、携帯電話機４０が携帯端末向コンテンツの配信を求めるためにＵＲＬとパスワードとを送信するときには（ステップＳ３３）、携帯電話機４０は、ＵＲＬとパスワードとに匿名ＩＤを添付して送信するものとする。その際、匿名ＩＤが添付されていないときには、そのユーザには匿名ＩＤの登録がされていないものとする。
【００６７】
図６において、コンテンツ配信装置１０は、まず、ポイント付与アプリケーションを実行する（ステップＳ８１）。次に、コンテンツ配信装置１０は、図４ステップＳ４１で受信したＵＲＬとパスワードとに匿名ＩＤが添付されていたか否かを判定する（ステップＳ８２）。その判定の結果、匿名ＩＤが添付されていなかったときには（ステップＳ８２でＮｏ）、コンテンツ配信装置１０は、新規の匿名ＩＤを生成し、匿名ＩＤ記憶部１７（図１参照）に、その新規の匿名ＩＤを登録し（ステップＳ８３）、その登録した匿名ＩＤを携帯電話機４０に送信する（ステップＳ８４）。次いで、コンテンツ配信装置１０は、匿名ＩＤとポイント（ステップＳ８１で付与されたポイント）とを対応付けて匿名ＩＤ記憶部１７に登録する（ステップＳ８５）。
【００６８】
一方、ステップＳ８２の判定で、匿名ＩＤが添付されていたときには（ステップＳ８２でＹｅｓ）、コンテンツ配信装置１０は、その匿名ＩＤとポイントとを対応付けて匿名ＩＤ記憶部１７に登録する（ステップＳ８５）。このとき、例えば、付与されたポイントが過去のポイントと加算する属性を有していた場合には、コンテンツ配信装置１０は、ステップＳ８５を実行する前に、匿名ＩＤ記憶部１７から当該匿名ＩＤに対応付けられたポイントを読み出し、そのポイントをステップＳ８１で付与されたポイントに加算する処理を実行する。
【００６９】
以上のようにして、本実施形態においても、匿名ＩＤを用いてポイントなどをユーザに付与することができる。
【００７０】
＜実施形態の変形例＞
以上に示した実施形態においては、携帯電話機４０のユーザが特定の場所に設置された特定のコンテンツ掲示装置３０の特定の時間帯に掲示された特定の掲示コンテンツを閲覧したという証拠として、携帯電話機４０は、カメラ４２で掲示コンテンツに併せて表示された２次元バーコード画像３２１を撮像することにより、携帯端末向コンテンツのＵＲＬとパスワードを取得したが、その取得の方法は、これに限定されることはない。
【００７１】
例えば、携帯電話機４０がコンテンツ掲示装置３０からＵＲＬとパスワードとを取得する方法として、ＩｒＤＡ（Infra Red Data Association）、ＩＥＥＥ８０２．１１、ブルートゥース（登録商標）など、赤外線または微弱電波による局所通信技術を用いることができる。
【００７２】
例えば、コンテンツ掲示装置３０がＩｒＤＡの送信機を備え、携帯電話機４０がＩｒＤＡの受信機を備えるようにすれば、コンテンツ掲示装置３０は、ＩｒＤＡの送信機によりＵＲＬとパスワードとを送信することができ、携帯電話機４０は、ＩｒＤＡの受信機によりそのＵＲＬとパスワードとを受信することができる。
【００７３】
このように、局所通信技術を用いた場合には、ＵＲＬとパスワードとを２次元バーコード画像にして、掲示コンテンツに重畳して表示する必要がなくなる。
【図面の簡単な説明】
【００７４】
【図１】情報配信システムのブロック構成の例を示す図。
【図２】コンテンツ配信管理情報の構成の例を示す図。
【図３】コンテンツ配信装置がコンテンツ掲示装置に掲示コンテンツを配信するときの処理フローの例を示す図。
【図４】コンテンツ配信装置が携帯電話機に携帯端末向コンテンツを配信するときの処理フローの例を示す図。
【図５】図４におけるアクセス認証結果またはアプリケーション実行結果に応じて、コンテンツ配信装置から携帯電話機に配信する携帯端末向コンテンツの表示画像を変える例を示す図。
【図６】コンテンツ配信装置における携帯端末向コンテンツ配信時の匿名ユーザ登録の処理フローの例を示す図。
【符号の説明】
【００７５】
１      情報配信システム
１０    コンテンツ配信装置
１１    掲示コンテンツ配信部
１２    携帯端末向コンテンツ配信部
１３    匿名ＩＤ管理部
１４    アプリケーション処理部
１５    掲示コンテンツ蓄積部
１６    携帯端末向コンテンツ蓄積部
１７    匿名ＩＤ記憶部
２０    コンテンツ配信管理装置
２１    コンテンツ配信管理情報管理部
２２    パスワード生成部
２３    パスワード認証部
２４    コンテンツ配信管理情報蓄積部
３０    コンテンツ掲示装置
３１    制御装置
３２    表示部
３３    センサ
４０    携帯電話機
４１    表示部
４２    カメラ
５０    無線通信基地局
６０    通信ネットワーク
３２１  ２次元バーコード画像
【図１】
2008090512.tif 000003
【図２】
2008090512.tif 000004
【図３】
2008090512.tif 000005
【図４】
2008090512.tif 000006
【図５】
2008090512.tif 000007
【図６】
2008090512.tif 000008